(57)【要約】【課題】アダプタ付の小径の光ディスクと大径の光ディスクとを識別することができる光ディスク装置を提供する。【解決手段】ＣＤプレーヤ１は大径ＣＤ２ａ及び大径ＤＶＤ４ａとこれらの大径ＣＤ２ａ及び大径ＤＶＤ４ａよりも小径の小径ＣＤ２ｂ及び小径ＤＶＤ４ｂにアダプタ１６が取り付けられて前記大径ＣＤ２ａ及び大径ＤＶＤ４ａと外径が等しいアダプタ１６付の小径ＣＤ２ｂ及び小径ＤＶＤ４ｂとのいずれか一方が収容される機器本体３と機器本体２に固定されかつこの機器本体３内に収容されたアダプタ１６付の小径ＣＤ２ｂ及び小径ＤＶＤ４ｂのアダプタ１６と大径ＣＤ２ａ及び大径ＤＶＤ４ａの一方の表面２ｃ，４ｃとの双方と相対する位置に設けられてこれらに向かってレーザ光を照射するＬＤ２１とこのＬＤ２１と並べられてＬＤ２１から大径ＣＤ２ａ及び大径ＤＶＤ４ａの一方の表面２ｃ，４ｃに向かって照射されたレーザ光の回折光を受光可能なＰＤ２２とを備えている。【選択図】図４
2010123175.tif 000002
【特許請求の範囲】
【請求項１】
大径の光ディスクと、この大径の光ディスクよりも小径の光ディスクにアダプタが取り付けられて前記大径の光ディスクと外径が等しいアダプタ付の小径の光ディスクとのいずれか一方が収容される機器本体と、
前記機器本体に固定され、かつこの機器本体内に収容されたアダプタ付の小径の光ディスクのアダプタと前記大径の光ディスクの情報記録面との双方と相対する位置に設けられて、これらに向かってレーザ光を照射する発光素子と、
前記発光素子と並べられて、この発光素子から前記大径の光ディスクの情報記録面に向かって照射されたレーザ光の回折光を受光可能な受光素子と、
を備えたことを特徴とする光ディスク装置。
【請求項２】
前記受光素子が、前記情報記録面から前記大径の光ディスクの種類毎に異なる向きに反射される回折光を受光できるように、前記大径の光ディスクの種類に対応して複数設けられていることを特徴とする請求項１記載の光ディスク装置。
【請求項３】
一つの前記受光素子が、互いに異なる種類の前記大径の光ディスクからの互いに異なる次数の回折光を受光できる位置に配置されていることを特徴とする請求項１記載の光ディスク装置。
【発明の詳細な説明】
【技術分野】
【０００１】
本発明は、例えば、Compact Discなどの光ディスクから情報を読み出す光ディスク装置に関する。
【背景技術】
【０００２】
ＣＤ（Compact Disk）やＤＶＤ（Digital Versatile Disc）やＢＤ（Blu-ray Disc）などの光ディスクとして、外径が例えば１２ｃｍの大径の光ディスクと、外径が例えば８ｃｍの小径の光ディスクとが用いられている。これらの光ディスクに記録された情報を読み出して再生する光ディスク装置（例えば、特許文献１参照）は、機器本体と、この機器本体に記録媒体を出し入れする搬送手段と、機器本体内に設けられかつ記録媒体をクランプして当該記録媒体から情報を読み出すクランプ再生手段とを備えている。
【０００３】
クランプ再生手段は、前記機器本体内に収容した光ディスクを回転させるターンテーブルと、このターンテーブルにより回転される光ディスクの情報記録面から情報を読み出す光ピックアップを備えている。
【０００４】
前述した光ディスク装置として、前述した大径の光ディスクと小径の光ディスクとの双方の情報の読み出しを可能とするために、アダプタを取りつけて、外径が前記大径の光ディスクと等しい状態の前述した小径の光ディスクを機器本体内に収容して、情報を読み出すものがある。
【０００５】
この種のアダプタは、外径が前述した大径の光ディスクの外径と等しくかつ内径が前述した小径の光ディスクの外径と等しい円環状のアダプタ本体と、前記アダプタ本体の内縁部に設けられかつ前記小径の光ディスクの外縁部に係止する複数の係止爪とを備えている。アダプタ本体は、その厚みが小径の光ディスクの厚みと略等しく形成されている。係止爪は、前記小径の光ディスクの外縁部に係止するために、アダプタ本体の内縁よりも内周側に突出するとともに当該アダプタ本体の両表面から凸に形成されている。
【０００６】
前述した小径の光ディスクは、その外縁部に係止爪が係止して、アダプタが取り付けられる。このとき勿論、小径の光ディスクとアダプタとは同軸に配置される。そして、小径の光ディスクは、アダプタが取り付けられた状態で、機器本体内に収容されて、クランプ再生ユニットにより情報記録面に記録された情報が読み出される。また、前述した従来の光ディスク装置は、互いに外径が等しいために、前述した大径の光ディスクとアダプタ付の小径の光ディスクとの識別を行うことなく、これらから情報を読み出している。
【特許文献１】特開２００２−３２９３６１号公報
【発明の開示】
【発明が解決しようとする課題】
【０００７】
前述した従来の光ディスク装置は、前述した大径の光ディスクとアダプタ付の小径の光ディスクとの識別を行っていないために、アダプタ付の小径の光ディスクから情報を読み出している際に、大径の光ディスクから情報を読み出す際と同様に、前述したアダプタに相対する位置まで光ピックアップを移動させてしまう。このとき、アダプタの種類によっては、前述した係止爪がアダプタ本体の両表面から突出しているために、当該係止爪に光ピックアップの対物レンズが接触してしまうことがある。この場合、最悪の場合には、対物レンズが傷ついてしまい、光ディスクからの情報の読み出しを行うことが困難となることもあった。
【０００８】
したがって、本発明の目的は、例えば、アダプタ付の小径の光ディスクと大径の光ディスクとを識別することができる光ディスク装置を提供することにある。
【課題を解決するための手段】
【０００９】
前記課題を解決し目的を達成するために、請求項１に記載の本発明は、大径の光ディスクと、この大径の光ディスクよりも小径の光ディスクにアダプタが取り付けられて前記大径の光ディスクと外径が等しいアダプタ付の小径の光ディスクとのいずれか一方が収容される機器本体と、前記機器本体に固定され、かつこの機器本体内に収容されたアダプタ付の小径の光ディスクのアダプタと前記大径の光ディスクの情報記録面との双方と相対する位置に設けられて、これらに向かってレーザ光を照射する発光素子と、前記発光素子と並べられて、この発光素子から前記大径の光ディスクの情報記録面に向かって照射されたレーザ光の回折光を受光可能な受光素子と、を備えたことを特徴としている。
【発明を実施するための最良の形態】
【００１０】
以下、本発明の一実施形態にかかる光ディスク装置を説明する。本発明の一実施形態にかかる光ディスク装置は、発光素子からのレーザ光の光ディスクの情報記録面により反射された回折光を受光する受光素子を、当該発光素子と並べて配置し、さらに発光素子を機器本体内のアダプタ付の小径の光ディスクのアダプタにレーザ光を照射しかつ機器本体の大径の光ディスクの情報記録面にレーザ光を照射する位置に配置している。
【００１１】
こうすることで、アダプタには光ディスクの情報記録面に形成された細かなピットが存在しないために、アダプタ付の小径の光ディスクが機器本体に収容されると、発光素子からのレーザ光のアダプタの表面により反射されたレーザ光を受光素子が受光することができない。さらに、大径の光ディスクが機器本体に収容されると、発光素子からのレーザ光の当該大径の光ディスクの情報記録面により反射された前記レーザ光の回折光を受光素子が確実に受光することができる。よって、受光素子が、前述した回折光を受光したか否かにより、機器本体内に収容された光ディスクがアダプタ付の小径の光ディスクと大径の光ディスクとのいずれかであるかを確実に識別することができる。
【００１２】
また、本実施形態では、受光素子を、機器本体に収容される大径の光ディスクの種類に対応して複数設け、これら複数の受光素子を、それぞれ対応する大径の光ディスクの情報記録面により反射される回折光を受光できる位置に配置しても良い。この場合、複数の受光素子のいずれかが前述した回折光を受光したか否かを判断することにより、複数の種類の光ディスクを再生可能な装置であっても、機器本体内に収容された光ディスクがアダプタ付の小径の光ディスクと大径の光ディスクとのいずれかであるかを確実に識別することができる。さらに、複数の受光素子のうち回折光を受光した受光素子を識別することにより、前述した大径の光ディスクの種類を識別することもできる。
【００１３】
さらに、一つの受光素子を、互いに異なる種類の大径の光ディスクからの互いに異なる次数の回折光を受光できる位置に配置しても良い。この場合、一つの受光素子により複数の種類の大径の光ディスクに対応することができる。
【００１４】
この場合、例えば、受光素子を、発光素子と情報記録面の発光素子に相対する箇所とを結ぶ線分と、当該受光素子と箇所とを結ぶ線分とのなす角度が２３度となる位置に配置しても良い。この場合、一つの受光素子で、ＣＤの情報記録面で反射された２次の回折光と、ＤＶＤの情報記録面で反射された１次の回折光とを受光することができる。
【実施例】
【００１５】
以下、本発明の一実施例にかかる光ディスク装置の一例としてのプレーヤ装置１を、図１ないし図５に基づいて説明する。図１などに示すプレーヤ装置１は、移動体としての自動車のインストルメントパネル（以下、インパネと呼ぶ）などに取り付けられて、外径が例えば１２ｃｍなどの比較的大径な大径の光ディスクとしての大径ＣＤ２ａ又は大径ＤＶＤ４ａと、外径が例えば８ｃｍなどの比較的小径な小径の光ディスクとしての小径ＣＤ２ｂ又は小径ＤＶＤ４ｂとを使用者が選択して、これらのＣＤ２ａ，２ｂ、ＤＶＤ４ａ，４ｂのうちいずれかを機器本体３内に収容する。そして、プレーヤ装置１は、機器本体３内に収容したＣＤ２ａ，２ｂ、ＤＶＤ４ａ，４ｂのいずれかに記録された情報を読み出（再生）して、音声として出力する装置である。ＣＤ２ａ，２ｂ、ＤＶＤ４ａ，４ｂは、図３（ａ）及び図３（ｂ）に示すように、勿論、中央に中央孔を設けた円板状即ちディスク状に形成されており、コンピュータなどの電子機器で読みとることのできる情報を記録した記録媒体である。また、前述したＣＤ２ａ，２ｂ、ＤＶＤ４ａ，４ｂは、これらの一方の表面２ｃ，２ｄ，４ｃ，４ｄ（図４及び図５に示す）が情報を記録した情報記録面をなしている。勿論、情報記録面としての一方の表面２ｃ，２ｄ，４ｃ，４ｄには、細かなピットが多数設けられている。勿論、ＣＤ２ａ，２ｂとＤＶＤ４ａ，４ｂとは、ピットの大きさやピット間の間隔が異なる。このため、ＣＤ２ａ，２ｂ及びＤＶＤ４ａ，４ｂは、情報記録面としての一方の表面２ｃ，２ｄ，４ｃ，４ｄに照射されたレーザ光の反射光が回折光となる。
【００１６】
なお、前述したＣＤ２ａ，２ｂ及びＤＶＤ４ａ，４ｂなどの光ディスクの情報記録面に照射されたレーザ光の反射光は、以下の式１を満たす。
【００１７】
【数１】
2010123175.tif 000003
【００１８】
なお、式１中のｄは、光ディスクの径方向のピットの間隔、αは、情報記録面に入射するレーザ光の当該情報記録面に対して直交する軸に対する角度、βは、情報記録面から反射する回折光の当該情報記録面に対して直交する軸に対する角度、ｍは、次数、λは、情報記録面に入射するレーザ光の波長である。即ち、レーザ光が情報記録面としての一方の表面２ｃ，２ｄ，４ｃ，４ｄに対して直交する方向に沿って、これらの表面２ｃ，２ｄ，４ｃ，４ｄに入射されると、一方の表面２ｃ，２ｄ，４ｃ，４ｄで反射されたレーザ光は、一方の表面２ｃ，２ｄ，４ｃ，４ｄに対して直交する方向に交差する方向に出射する。即ち、回折光となる。なお、前述したＣＤ２ａ，２ｂ、ＤＶＤ４ａ，４ｂやＢＤは、互いに前述したｄ即ち径方向のピットの間隔が異なるために、前述した回折光の情報記録面に対して直交する方向とのなす角度が互いに異なる。
【００１９】
なお、前記大径ＣＤ２ａ及び大径ＤＶＤ４ａは、そのままの状態で機器本体３内に収容され、小径ＣＤ２ｂ及び小径ＤＶＤ４ｂは、図２に示すように、アダプタ１６が取り付けられた状態で機器本体３内に収容される。アダプタ１６は、合成樹脂などの周知の種々の材料で構成されており、図３（ｂ）に示すように、外径が大径ＣＤ２ａ及び大径ＤＶＤ４ａの外径と等しく、内径が小径ＣＤ２ｂ及び小径ＤＶＤ４ｂの外径と等しい円環状のアダプタ本体１６ａと、前記アダプタ本体１６ａの内縁部に設けられかつ前記小径ＣＤ２ｂ及び小径ＤＶＤ４ｂの外縁部に係止する複数の係止爪１６ｂとを備えている。
【００２０】
アダプタ本体１６は、その厚みが小径ＣＤ２ｂ及び小径ＤＶＤ４ｂの厚みと略等しく形成されている。係止爪１６ｂは、小径ＣＤ２ｂ及び小径ＤＶＤ４ｂの外縁部に係止するために、当該アダプタ本体１６ａの両表面から凸でかつアダプタ本体１６ａの内縁よりも内周側に突出した一対の爪部１６ｃを備えている。係止爪１６ｂは、一対の爪部１６ｃ間に小径ＣＤ２ｂ及び小径ＤＶＤ４ｂの外縁部を挟みこんで、当該小径ＣＤ２ｂ及び小径ＤＶＤ４ｂの外縁部に係止する。アダプタ１６は、小径ＣＤ２ｂ及び小径ＤＶＤ４ｂの外縁に取り付けられると、勿論、当該小径ＣＤ２ｂ及び小径ＤＶＤ４ｂと同軸に配置される。
【００２１】
プレーヤ装置１は、図１及び図２に示すように、機器本体３（図１に示す）と、搬送手段としての搬送ユニット５と、クランプ再生手段としてのクランプ再生ユニット６と、連動手段としての連動機構と、判別手段としての判別部７（図４及び図５に示す）と、制御手段としてのμＣＯＭとを備えている。
【００２２】
なお、以下、ＣＤ２ａ，２ｂ、ＤＶＤ４ａ，４ｂの表面と搬送ユニット５のＣＤ２ａ，２ｂ、ＤＶＤ４ａ，４ｂの搬送方向との双方と平行な図１中の矢印Ｙをプレーヤ装置１の奥行き方向と記し、ＣＤ２ａ，２ｂ、ＤＶＤ４ａ，４ｂの表面と平行でかつ前記奥行き方向Ｙと直交する矢印Ｘをプレーヤ装置１の幅方向と記し、ＣＤ２ａ，２ｂ、ＤＶＤ４ａ，４ｂの表面と奥行き方向Ｙと幅方向Ｘの全てと直交する矢印Ｚをプレーヤ装置１の厚み方向と記す。
【００２３】
機器本体３は、合成樹脂や金属等からなる図１に示す外側ケース８と、図２に示すシャーシ本体９とを備えている。
【００２４】
外側ケース８は、扁平な箱状に形成されている。外側ケース８の前述したインパネに取り付けると乗員に相対する前面８ａ（図１に示す）には、ＣＤ２ａ，２ｂ、ＤＶＤ４ａ，４ｂを出し入れ可能な挿入口１０が一つ設けられている。なお、前面８ａは、外側ケース８即ちプレーヤ装置１がインパネに取り付けられると、該インパネの外側に露出する外側ケース８の一つの面である。
【００２５】
挿入口１０は、外側ケース８の外壁を貫通している。挿入口１０は、内側にＣＤ２ａ，２ｂ、ＤＶＤ４ａ，４ｂを通すことができる。挿入口１０を通して、前記ＣＤ２ａ，２ｂ、ＤＶＤ４ａ，４ｂは、外側ケース８即ち機器本体３内に収容されたり、該機器本体３内から排出される。即ち、挿入口１０は、ＣＤ２ａ，２ｂ、ＤＶＤ４ａ，４ｂを機器本体３に出し入れ自在とする。
【００２６】
さらに、前述した前面８ａには、表示パネル１１と、各種のスイッチ１２とが設けられている。
【００２７】
表示パネル１１は、前面８ａに露出して、使用者に対し各種の情報を表示する表示領域としての表示面を備えている。表示パネル１１は、表示面に再生中のプログラム名等の情報を表示する。
【００２８】
各種のスイッチ１２は、使用者が操作するための操作部を構成している。スイッチ１２が使用者などに操作されることによって、例えば、クランプ再生ユニット６が再生するＣＤ２ａ，２ｂ、ＤＶＤ４ａ，４ｂのプログラムの選択やＣＤ２ａ，２ｂ、ＤＶＤ４ａ，４ｂの出し入れなどが行われる。
【００２９】
シャーシ本体９は、図２などに示すように、複数の折り曲げられた板金などが互いに取り付けられて構成されている。シャーシ本体９は、図２に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００３０】
搬送ユニット５は、挿入口１０の近傍に配され、かつ、互いに接離自在に設けられたローラアームと、ディスクガイド１７と、を備えている。ローラアームは、モータなどの駆動源により回転駆動される搬送ローラを備えている。ローラアームは、一方の縁部を中心として底壁１３に回転自在に支持され、かち他方の縁部に前記搬送ローラを設けている。ローラアームは、その他方の縁部即ち搬送ローラがディスクガイド１７に近づく方向に図示しないコイルばねによって付勢されている。
【００３１】
ディスクガイド１７は、厚み方向Ｚに沿ってスライド自在にシャーシ本体９に支持されている。
【００３２】
前述した構成のローラアームとディスクガイド１７は、互いに接離自在に設けられ、かつ互いに近づいて互いの間にＣＤ２ａ，２ｂ、ＤＶＤ４ａ，４ｂを挟んで、搬送ローラがモータにより回転駆動されることで、機器本体３にＣＤ２ａ，２ｂ、ＤＶＤ４ａ，４ｂを出し入れする。
【００３３】
クランプ再生ユニット６は、図２に示すように、図示しないキャリッジシャーシと、クランプアーム１８と、を備えている。キャリッジシャーシは、板金などからなるシャーシ本体と、該シャーシ本体に取り付けられた図示しないターンテーブルと、シャーシ本体に取り付けられた図示しない光ピックアップ部とを備えている。
【００３４】
シャーシ本体は、略平板状に形成されている。ターンテーブルは、円板状に形成されかつシャーシ本体に回転自在に支持されている。ターンテーブルは、ＣＤ２ａ，２ｂ、ＤＶＤ４ａ，４ｂの中央孔内に侵入する。ターンテーブルは、シャーシ本体に取り付けられたスピンドルモータの駆動力によって、ＣＤ２ａ，２ｂ、ＤＶＤ４ａ，４ｂを回転させる。光ピックアップ部は、ターンテーブルにより回転されるＣＤ２から情報を読み出す。
【００３５】
クランプアーム１８は、板金などからなるアーム本体１９と、クランパ２５と、を備えている。アーム本体１９は、略平板状に形成されている。キャリッジシャーシのシャーシ本体に、挿入口１０から離れた端部を中心として回転自在に支持されている。アーム本体１９の回転中心は、幅方向Ｘと平行である。
【００３６】
クランパ２５は、ターンテーブルに相対する位置に配されている。クランパ２５は、円板状に形成されているとともに、アーム本体１９に回転自在に支持されている。クランパ２５は、アーム本体１９がシャーシ本体に近づくと、ターンテーブルとの間にＣＤ２ａ，２ｂ、ＤＶＤ４ａ，４ｂを挟むことができる。さらに、クランプ再生ユニット６のキャリッジシャーシとクランプアーム１８とは、図示しないばねなどの付勢手段により互いに近づく方向に付勢されている。
【００３７】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム１８とキャリッジシャーシとが互いに近づいて、ターンテーブルとクランパ２５との間にＣＤ２ａ，２ｂ、ＤＶＤ４ａ，４ｂを挟んで（即ち互いの間にＣＤ２ａ，２ｂ、ＤＶＤ４ａ，４ｂを挟んでクランプし）、ターンテーブルでＣＤ２ａ，２ｂ、ＤＶＤ４ａ，４ｂを回転させ光ピックアップ部で該ＣＤ２ａ，２ｂ、ＤＶＤ４ａ，４ｂに記録された情報を読み出す。
【００３８】
連動機構は、搬送ユニット５のディスクガイド１７と搬送ローラとが互いに離れると、クランプ再生ユニット６のキャリッジシャーシのターンテーブルとクランパ２５とが互いに近づき、搬送ユニット５のディスクガイド１７と搬送ローラとが互いに近づくと、クランプ再生ユニット６のキャリッジシャーシのターンテーブルとクランパ２５とが互いに離れるように、搬送ユニット５とクランプ再生ユニット６とを連動させる。
【００３９】
また、前述した連動機構は、機器本体３の内外にＣＤ２ａ，２ｂ、ＤＶＤ４ａ，４ｂを搬送する際には、搬送ユニット５のローラアームとディスクガイド１７とを互いに近づけ、クランプ再生ユニット６のキャリッジシャーシとクランプアーム１８とを互いに遠ざけておく。そして、連動機構は、機器本体３内にＣＤ２ａ，２ｂ、ＤＶＤ４ａ，４ｂが挿入されると、ターンテーブルとクランパ２５とを互いに近づけて、これらの間にＣＤ２ａ，２ｂ、ＤＶＤ４ａ，４ｂをクランプするとともに、搬送ユニット５のローラアームとディスクガイド１７とを互いに遠ざける。
【００４０】
判別部７は、図４及び図５に示すように、印刷配線板２０と、この印刷配線板２０に実装された発光素子としての一つのＬＤ（レーザダイオード）２１と、印刷配線板２０に実装された受光素子としての一つのＰＤ（ホトダイオード）２２とを備えている。印刷配線板２０は、絶縁性の基板と、この基板の表面上に予め定められたパターンにしたがって形成された導体パターンとを備えている。印刷配線板２０は、シャーシ本体９の底壁１３に固定されている。また、印刷配線板２０の導体パターンは、μＣＯＭに電気的に接続している。
【００４１】
ＬＤ２１は、図４に示すように、機器本体３内に収容されてクランプ再生ユニット６によりクランプされた大径ＣＤ２ａ及び大径ＤＶＤ４ａの前述した一方の表面２ｃ，４ｃと厚み方向Ｚに沿って相対し、かつ、図５に示すように、機器本体３内に収容されてクランプ再生ユニット６によりクランプされたアダプタ１６付の小径ＣＤ２ｂ及び小径ＤＶＤ４ｂのアダプタ１６の表面と厚み方向Ｚに沿って相対する位置に配置されている。ＬＤ２１は、厚み方向Ｚに沿って即ち一方の表面２ｃ，２ｄ，４ｃ，４ｄに対して直交する方向に沿って、前述した一方の表面２ｃ，４ｃ及びアダプタ１６の表面に向かってレーザ光を照射する。図示例では、ＬＤ２１は、波長が０．３μｍのレーザ光を出射する。
【００４２】
ＰＤ２２は、印刷配線板２０に実装されているので、前述した情報記録面としてのＣＤ２ａ，２ｂ及びＤＶＤ４ａ，４ｂの一方の表面２ｃ，２ｄ，４ｃ，４ｄに沿って、ＬＤ２１と並べられている。ＰＤ２２は、ＬＤ２１から大径ＣＤ２ａ及び大径ＤＶＤ４ａの一方の表面２ｃ，４ｃに向かって照射されて、当該一方の表面２ｃ，４ｃにより反射された回折光を受光可能な位置に配置されている。
【００４３】
図示例では、図４に示すように、前記ＬＤ２１と、このＬＤ２１と一方の表面２ｃ，４ｃの前記厚み方向Ｚに沿って相対する箇所Ｋとを結ぶ線分Ｌ（図４中に一点鎖線で示す）と、ＰＤ２２と前記箇所Ｋとを結ぶ線分Ｍ（図４中に一点鎖線で示す）とのなす角度θが２３度となる位置に、ＰＤ２２を配置している。前述した式１において、大径ＣＤ２ａにおいて、前述したαを０度、次数を２、レーザ光の波長を０．３μｍとすると、βが約２３度となり、大径ＤＶＤ４ａにおいて、前述したαを０度、次数を１、レーザ光の波長を０．３μｍとすると、βが約２３度となる。即ち、図示例では、ＰＤ２２は、大径ＣＤ２ａから反射された２次の回折光と、大径ＤＶＤ４ａから反射された１次の回折光との双方を受光できる位置に配置されている。このように、一つのＰＤ２２が、互いに異なる種類の大径の光ディスクの情報記録面から反射された互いに異なる次数の回折光を受光できる位置に配置されている。
【００４４】
また、ＰＤ２２は、μＣＯＭに接続して、前述した回折光を受光したか否かを当該μＣＯＭに向かって出力する。
【００４５】
μＣＯＭは、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００４６】
μＣＯＭは、スイッチ１２から入力された命令やＣＤ２ａ，２ｂ、ＤＶＤ４ａ，４ｂが挿入されたことを検出するセンサの出力に応じて、搬送ユニット５と、クランプ再生ユニット６と、連動機構に接続して、これらの動作を制御して、プレーヤ装置１全体の制御を司る。
【００４７】
前述したμＣＯＭは、機器本体３内に挿入口１０内に大径ＣＤ２ａ、大径ＤＶＤ４ａ、アダプタ１６付の小径ＣＤ２ｂ、アダプタ１６付の小径ＤＶＤ４ｂのうちいずれも収容していない状態では、ディスクガイド１７とローラアームとを互いに近づけ、キャリッジシャーシとクランプアーム１８とを互いに遠ざけておく。さらに、μＣＯＭは、光ピックアップ部を最もターンテーブルに近づけておく。そして、μＣＯＭは、挿入口１０内に大径ＣＤ２ａ、大径ＤＶＤ４ａ、アダプタ１６付の小径ＣＤ２ｂ、アダプタ１６付の小径ＤＶＤ４ｂのうちいずれかが挿入されると、前述したセンサがこれらのうちいずれかが挿入されたことを検出して、搬送ローラを回転駆動する。
【００４８】
その後、μＣＯＭは、クランプ再生ユニット６に前述したいずれかの光ディスクをクランプさせ、搬送ユニット５のディスクガイド１７とローラアームとを互いに遠ざける。そして、μＣＯＭは、判別部７のＬＤ２１からレーザ光を出射させ、ＰＤ２２の回折光の受光の有無を判別する。
【００４９】
このとき、機器本体３内に大径ＣＤ２ａ又は大径ＤＶＤ４ａが収容されていると、ＬＤ２１が、図４に示すように、厚み方向Ｚに沿って、これらの情報記録面としての一方の表面２ｃ，４ｃに相対している。そして、ＬＤ２１から図４中の矢印Ｓ１に沿って出射されたレーザ光は、情報記録面としての一方の表面２ｃ，４ｃにより反射されて、図４中の矢印Ｊ１に沿う回折光としてＰＤ２２に受光される。また、機器本体３内にアダプタ１６付の小径ＣＤ２ｂ又はアダプタ１６付の小径ＤＶＤ４ｂが収容されていると、ＬＤ２１が、図５に示すように、厚み方向Ｚに沿って、アダプタ１６の表面に相対している。そして、ＬＤ２１から図５中の矢印Ｓ２に沿って出射されたレーザ光は、図５中の矢印Ｊ２に沿ってアダプタ１６の表面により反射されて、ＰＤ２２に受光されない。
【００５０】
μＣＯＭは、ＰＤ２２の回折光の受光の有無により、機器本体３内に、大径ＣＤ２ａ又は大径ＤＶＤ４ａが収容されているか、アダプタ付の小径ＣＤ２ｂ又はアダプタ付の小径ＤＶＤ４ｂが収容されているかを判別する。そして、μＣＯＭは、機器本体３内に大径ＣＤ２ａ又は大径ＤＶＤ４ａが収容されている場合には、これらの一方の表面２ｃ，４ｃに相対するように光ピックアップ部を前述した大径ＣＤ２ａ又は大径ＤＶＤ４ａの径方向に沿って移動させて、これらから情報を読み出して再生させる。また、μＣＯＭは、機器本体３内にアダプタ付の小径ＣＤ２ｂ又はアダプタ付の小径ＤＶＤ４ｂが収容されている場合には、これらの一方の表面２ｄ，４ｄに相対しかつアダプタ１６の表面には相対しないように光ピックアップ部の移動を制限しながら、アダプタ付の小径ＣＤ２ｂ又はアダプタ付の小径ＤＶＤ４ｂの径方向に沿って光ピックアップ部を移動させて、これらから情報を読み出して再生させる。
【００５１】
本実施例によれば、ＬＤ２１からのレーザ光の大径ＣＤ２ａ及び大径ＤＶＤ４ａの情報記録面としての一方の表面２ｃ，４ｃにより反射された回折光を受光するＰＤ２２を当該ＬＤ２１と並べて配置している。さらに、ＬＤ２１を、機器本体３内のアダプタ１６付の小径ＣＤ２ｂ及びアダプタ１６付の小径ＤＶＤ４ｂのアダプタ１６にレーザ光を照射しかつ機器本体３の大径ＣＤ２ａ及び大径ＤＶＤ４ａの情報記録面としての一方の表面２ｃ，４ｃにレーザ光を照射する位置に配置している。
【００５２】
このため、アダプタ１６の表面にはＣＤ２ａ，２ｂ及びＤＶＤ４ａ，４ｂの一方の表面２ｃ，４ｃ，２ｄ，４ｄに形成された細かなピットが存在しないために、アダプタ１６付の小径ＣＤ２ｂ及びアダプタ１６付の小径ＤＶＤ４ｂが機器本体３に収容されると、アダプタ１６の表面により反射されたレーザ光をＰＤ２２が受光することができない。さらに、大径ＣＤ２ａ及び大径ＤＶＤ４ａが機器本体３に収容されると、ＬＤ２１からのレーザ光の当該大径ＣＤ２ａ及び大径ＤＶＤ４ａの一方の表面２ｃ，４ｃにより反射されたレーザ光の回折光をＰＤ２２が確実に受光することができる。よって、ＰＤ２２が、前述した回折光を受光したか否かにより、機器本体３内に収容された光ディスクが、アダプタ１６付の小径ＣＤ２ｂ及びアダプタ１６付の小径ＤＶＤ４ｂと、大径ＣＤ２ａ及び大径ＤＶＤ４ａとのいずれかであるかを確実に識別することができる。
【００５３】
さらに、一つのＰＤ２２を、互いに異なる種類の大径ＣＤ２ａ及び大径ＤＶＤ４ａからの互いに異なる次数の回折光を受光できる位置に配置している。このために、一つのＰＤ２２により複数の種類の大径ＣＤ２ａ及び大径ＤＶＤ４ａに対応することができる。
【００５４】
なお、前述した実施例では、大径ＣＤ２ａの一方の表面２ｃにより反射されたレーザ光の２次の回折光と、大径ＤＶＤ４ａの一方の表面４ｃにより反射されたレーザ光の１次の回折光との双方を受光できる位置にＰＤ２２を配置している。しかしながら、本発明では、ＣＤ、ＤＶＤ、ＢＤの任意の光ディスクの情報記録面から反射された任意の次数の回折光を受光できる位置にＰＤ２２を配置すれば良い。
【００５５】
また、本発明では、図６に示すように、機器本体３内に収容する光ディスクの種類の各々に対応させて、ＰＤ２２を設けても良い。なお、図６中の前述した実施例と同一部分には、同一符号を付して説明を省略する。
【００５６】
図６に示す例では、ＰＤ２２として大径ＣＤ２ａに対応して設けられかつ当該大径ＣＤ２ａの情報記録面としての一方の表面２ｃにより反射されたレーザ光の１次の回折光を受光するＣＤ用ＰＤ２２ａと、ＰＤ２２として大径ＤＶＤ４ａに対応して設けられかつ当該大径ＤＶＤ４ａの情報記録面としての一方の表面４ｃにより反射されたレーザ光の１次の回折光を受光するＤＶＤ用ＰＤ２２ｂと、ＰＤ２２として大径ＢＤに対応して設けられかつ当該大径ＢＤの情報記録面により反射されたレーザ光の１次の回折光を受光するＢＤ用ＰＤ２２ｃと、を設けている。
【００５７】
ＣＤ用ＰＤ２２ａは、当該ＣＤ用ＰＤ２２ａと前記箇所Ｋとを結んだ線分Ｍ１の前記線分Ｌとのなす角度θ１が１０度となり、ＤＶＤ用ＰＤ２２ｂは、当該ＤＶＤ用ＰＤ２２ｂと前記箇所Ｋとを結んだ線分Ｍ２の前記線分Ｌとのなす角度θ２が２３度となり、ＢＤ用ＰＤ２２ｃは、当該ＢＤ用ＰＤ２２ｃと前記箇所Ｋとを結んだ線分Ｌの前記線分Ｍ３とのなす角度θ３が７０度となる位置に配置されている。このように、図６に示す例では、ＰＤ２２ａ，２２ｂ，２２ｃが、情報記録面から大径ＣＤ２ａ、大径ＤＶＤ４ａおよび大径ＢＤ毎に異なる向きに反射される回折光を受光できるように、これら大径ＣＤ２ａ、大径ＤＶＤおよび大径ＢＤの各々に対応して複数設けられている。
【００５８】
この場合、ＰＤ２２ａ，２２ｂ，２２ｃを、機器本体３に収容される大径ＣＤ２ａ、大径ＤＶＤ４ａおよび大径ＢＤ毎に対応して複数設け、これら複数のＰＤ２２ａ，２２ｂ，２２ｃを、それぞれ対応する大径ＣＤ２ａ、大径ＤＶＤ４ａおよび大径ＢＤの情報記録面により反射される回折光を受光できる位置に配置している。このために、複数のＰＤ２２ａ，２２ｂ，２２ｃのいずれかが前述した回折光を受光したか否かを判断することにより、複数の種類のＣＤ、ＤＶＤおよびＢＤなどを再生可能な装置であっても、機器本体３内に収容されたＣＤ、ＤＶＤおよびＢＤが、アダプタ１６小径の光ディスクと大径の光ディスクとのいずれかであるかを確実に識別することができる。さらに、アダプタ１６付きの小径の光ディスクと大径の光ディスクとを識別できることにくわえ、μＣＯＭが複数のＰＤ２２ａ，２２ｂ，２２ｃのうち回折光を受光したＰＤ２２ａ，２２ｂ，２２ｃを識別することにより、前述した機器本体３内の大径の光ディスクの種類を識別することもできる。
【００５９】
前述した実施例によれば、以下のプレーヤ装置１が得られる。
【００６０】
（付記）  大径ＣＤ２ａ及び大径ＤＶＤ４ａと、これらの大径ＣＤ２ａ及び大径ＤＶＤ４ａよりも小径の小径ＣＤ２ｂ及び小径ＤＶＤ４ｂにアダプタ１６が取り付けられて前記大径ＣＤ２ａ及び大径ＤＶＤ４ａと外径が等しいアダプタ１６付の小径ＣＤ２ｂ及び小径ＤＶＤ４ｂとのいずれか一方が収容される機器本体３と、
前記機器本体２に固定され、かつこの機器本体３内に収容されたアダプタ１６付の小径ＣＤ２ｂ及び小径ＤＶＤ４ｂのアダプタ１６と前記大径ＣＤ２ａ及び大径ＤＶＤ４ａの一方の表面２ｃ，４ｃとの双方と相対する位置に設けられて、これらに向かってレーザ光を照射するＬＤ２１と、
前記ＬＤ２１と並べられて、このＬＤ２１から前記大径ＣＤ２ａ及び大径ＤＶＤ４ａの一方の表面２ｃ，４ｃに向かって照射されたレーザ光の回折光を受光可能なＰＤ２２と、
を備えたことを特徴とするプレーヤ装置１。
【００６１】
付記によれば、ＬＤ２１からのレーザ光の大径ＣＤ２ａ及び大径ＤＶＤ４ａの情報記録面としての一方の表面２ｃ，４ｃにより反射された回折光を受光するＰＤ２２を当該ＬＤ２１と並べて配置している。さらに、ＬＤ２１を、機器本体３内のアダプタ１６付の小径ＣＤ２ｂ及びアダプタ１６付の小径ＤＶＤ４ｂのアダプタ１６にレーザ光を照射しかつ機器本体３の大径ＣＤ２ａ及び大径ＤＶＤ４ａの情報記録面としての一方の表面２ｃ，４ｃにレーザ光を照射する位置に配置している。
【００６２】
このため、アダプタ１６の表面にはＣＤ２ａ，２ｂ及びＤＶＤ４ａ，４ｂの一方の表面２ｃ，４ｃ，２ｄ，４ｄに形成された細かなピットが存在しないために、アダプタ１６付の小径ＣＤ２ｂ及びアダプタ１６付の小径ＤＶＤ４ｂが機器本体３に収容されると、アダプタ１６の表面により反射されたレーザ光をＰＤ２２が受光することができない。さらに、大径ＣＤ２ａ及び大径ＤＶＤ４ａが機器本体３に収容されると、ＬＤ２１からのレーザ光の当該大径ＣＤ２ａ及び大径ＤＶＤ４ａの一方の表面２ｃ，４ｃにより反射されたレーザ光の回折光をＰＤ２２が確実に受光することができる。よって、ＰＤ２２が、前述した回折光を受光したか否かにより、機器本体３内に収容された光ディスクが、アダプタ１６付の小径ＣＤ２ｂ及びアダプタ１６付の小径ＤＶＤ４ｂと、大径ＣＤ２ａ及び大径ＤＶＤ４ａとのいずれかであるかを確実に識別することができる。
【００６３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６４】
【図１】本発明の一実施例にかかるプレーヤ装置の斜視図である。
【図２】図１に示されたプレーヤ装置のシャーシ本体及びクランプ再生ユニットなどを示す斜視図である。
【図３】（ａ）は図２中のＩＩＩＡ−ＩＩＩＡ線に沿う断面図であり、（ａ）は図２中のＩＩＩＢ−ＩＩＩＢ線に沿う断面図である。
【図４】図１に示されたプレーヤ装置の判別部と大径ＣＤ及び大径ＤＶＤなどを模式的に示す断面図である。
【図５】図１に示されたプレーヤ装置の判別部とアダプタ付の小径ＣＤ及びアダプタ付の小径ＤＶＤなどを模式的に示す断面図である。
【図６】図１に示されたプレーヤ装置の変形例の判別部と大径の光ディスクなどを模式的に示す断面図である。
【符号の説明】
【００６５】
１  プレーヤ装置（光ディスク装置）
２ａ  大径ＣＤ（大径の光ディスク）
２ｂ  小径ＣＤ（小径の光ディスク）
２ｃ，２ｄ  一方の表面（情報記録面）
３  機器本体
４ａ  大径ＤＶＤ（大径の光ディスク）
４ｂ  小径ＤＶＤ（小径の光ディスク）
４ｃ，４ｄ  一方の表面（情報記録面）
１６  アダプタ
２１  ＬＤ(発光素子)
２２  ＰＤ(受光素子)
２２ａ  ＣＤ用ＰＤ
２２ｂ  ＤＶＤ用ＰＤ
２２ｃ  ＢＤ用ＰＤ
【図１】
2010123175.tif 000004
【図２】
2010123175.tif 000005
【図３】
2010123175.tif 000006
【図４】
2010123175.tif 000007
【図５】
2010123175.tif 000008
【図６】
2010123175.tif 000009